【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
測定光を照射した被検査物からの戻り光と、該測定光に対応する参照光とを合波した光に基づいて、該被検査物の断層画像を取得する撮像装置であって、
第１の光束径の測定光に対応する第１の戻り光を検出する第１の検出手段と、
前記第１の戻り光に基づいて、前記被検査物における前記第１の光束径の測定光の合焦位置を調整する調整手段と、
前記第１の光束径から該第１の光束径より大きい第２の光束径に変更する光束径変更手段と、
前記第２の光束径の測定光に対応する第２の戻り光と前記参照光とを合波した光を検出する第２の検出手段と、
を有することを特徴とする撮像装置。
【請求項２】
前記調整手段が前記合焦位置を調整した後に、前記光束径変更手段が前記第１の光束径から前記第２の光束径に変更することを特徴とする請求項１に記載の撮像装置。
【請求項３】
前記光束径変更手段は、前記第２の戻り光の強度が所定値以上になるように、前記第２の光束径から該第２の光束径より小さい第３の光束径に変更することを特徴とする請求項１あるいは２に記載の撮像装置。
【請求項４】
前記戻り光を前記第１の検出手段の光路と前記第２の検出手段の光路とに分割する戻り光分割手段を有することを特徴とする請求項１乃至３のいずれか１項に記載の撮像装置。
【請求項５】
測定光を照射した被検査物からの戻り光に基づいて、該被検査物の画像を取得する撮像装置であって、
第１の光束径の測定光に対応する第１の戻り光に基づいて、前記被検査物における前記第１の光束径の測定光の合焦位置を調整する調整手段と、
前記調整手段が前記合焦位置を調整した後に、前記第１の光束径より大きい第２の光束径の測定光に対応する第２の戻り光を検出する検出手段と、
を有することを特徴とする撮像装置。
【請求項６】
前記調整手段が、前記合焦位置を調整した後に、前記第２の戻り光に基づいて前記被検査物における前記第２の光束径の測定光の合焦位置を調整することを特徴とする請求項１乃至５のいずれか１項に記載の撮像装置。
【請求項７】
前記調整手段が前記合焦位置を調整した後に、前記第１の戻り光に基づいて、前記測定光の光路長と該測定光に対応する参照光の光路長との差を調整する光路長調整手段と、
前記光路長調整手段が前記差を調整した後に、前記第２の戻り光と前記参照光とを合波した光に基づいて、前記被検査物の断層画像を取得する断層画像取得手段と、
を有することを特徴とする請求項１乃至６のいずれか１項に記載の撮像装置。
【請求項８】
測定光を照射した被検査物からの戻り光と該測定光に対応する参照光とを合波した光に基づいて、該被検査物の断層画像を取得する撮像装置であって、
第１の光束径の測定光に対応する第１の戻り光に基づいて、前記測定光の光路長と前記参照光の光路長との差を調整する光路長調整手段と、
前記光路長調整手段が前記差を調整した後に、前記第１の光束径より大きい第２の光束径の測定光に対応する第２の戻り光と前記参照光とを合波した光を検出する検出手段と、
を有することを特徴とする撮像装置。
【請求項９】
前記光路長調整手段が、前記第１の戻り光に基づいて前記差を調整した後に、前記第２の戻り光に基づいて前記差を調整することを特徴とする請求項７あるいは８に記載の撮像装置。
【請求項１０】
前記測定光の光路に設けられ且つ該測定光を遮断可能な遮断手段と、
前記測定光を照射した前記遮断手段からの戻り光の強度が所定の条件を満たしている場合に、前記遮断手段を前記測定光の光路から外す制御手段と、
を有することを特徴とする請求項１乃至９のいずれか１項に記載の撮像装置。
【請求項１１】
測定光を照射した被検査物からの戻り光に基づいて、該被検査物の画像を取得する撮像装置であって、
前記測定光の光路に設けられ且つ該測定光を遮断可能な遮断手段と、
前記測定光を照射した前記遮断手段からの戻り光の強度が所定の条件を満たしている場合に、前記遮断手段を前記測定光の光路から外す制御手段と、
を有することを特徴とする撮像装置。
【請求項１２】
前記被検査物は、被検眼であることを特徴とする請求項１乃至１１のいずれか１項に記載の撮像装置。
【請求項１３】
前記被検眼の光学特性に基づいて、前記測定光の光束状態を変更する光束状態変更手段を有することを特徴とする請求項１２に記載の撮像装置。
【請求項１４】
測定光を照射した被検眼からの戻り光に基づいて、該被検眼の画像を取得する撮像装置であって、
前記被検眼の光学特性に基づいて、前記測定光の光束状態を変更する光束状態変更手段を有することを特徴とする撮像装置。
【請求項１５】
前記変更された光束状態の測定光を照射した前記被検眼からの戻り光と該測定光に対応する参照光とを合波した光に基づいて、該被検眼の断層画像を取得する断層画像取得手段を有することを特徴とする請求項１４に記載の撮像装置。
【請求項１６】
前記光束状態変更手段は、前記測定光の光束径と、前記測定光の形状と、前記測定光の照射位置とのうち少なくとも一つを変更することを特徴とする請求項１３乃至１５のいずれか１項に記載の撮像装置。
【請求項１７】
前記光束状態変更手段は、複数のレンズを含み、
前記複数のレンズのいずれかのレンズに前記測定光を選択的に入射可能であることを特徴とする請求項１３乃至１６のいずれか１項に記載の撮像装置。
【請求項１８】
前記光束状態変更手段は、前記測定光の光路に配置された円板と、該円板に設けられた複数の開口部とを備え、
前記円板を回転することで前記複数の開口部のいずれかの開口部に前記測定光を選択的に入射可能であることを特徴とする請求項１３乃至１７のいずれか１項に記載の撮像装置。
【請求項１９】
前記戻り光の強度と前記測定光の光束径との関係を表示手段に表示させる表示制御手段を有することを特徴とする請求項１乃至１８のいずれか１項に記載の撮像装置。
【請求項２０】
測定光を照射した被検査物からの戻り光と、該測定光に対応する参照光とを合波した光に基づいて、該被検査物の断層画像を取得する撮像方法であって、
第１の光束径の測定光に対応する第１の戻り光を検出する工程と、
前記第１の戻り光に基づいて、前記被検査物における前記第１の光束径の測定光の合焦位置を調整する工程と、
前記第１の光束径から該第１の光束径より大きい第２の光束径に変更する工程と、
前記第２の光束径の測定光に対応する第２の戻り光と前記参照光とを合波した光を検出する工程と、
を有することを特徴とする撮像方法。
【請求項２１】
前記合焦位置が調整された後に、前記光束径変更手段が前記第１の光束径から前記第２の光束径に変更することを特徴とする請求項２０に記載の撮像方法。
【請求項２２】
測定光を照射した被検査物からの戻り光に基づいて、該被検査物の画像を取得する撮像方法であって、
第１の光束径の測定光に対応する第１の戻り光に基づいて、前記被検査物における前記第１の光束径の測定光の合焦位置を調整する工程と、
前記合焦位置が調整された後に、前記第１の光束径より大きい第２の光束径の測定光に対応する第２の戻り光を検出する工程と、
を有することを特徴とする撮像方法。
【請求項２３】
前記第２の戻り光に基づいて前記被検査物における前記第２の光束径の測定光の合焦位置を調整する工程を有することを特徴とする請求項２０乃至２２のいずれか１項に記載の撮像方法。
【請求項２４】
前記合焦位置が調整された後に、前記第１の戻り光に基づいて、前記測定光の光路長と該測定光に対応する参照光の光路長との差を調整する工程と、
前記差が調整された後に、前記第２の戻り光と前記参照光とを合波した光に基づいて、前記被検査物の断層画像を取得する工程と、
を有することを特徴とする請求項２０乃至２３のいずれか１項に記載の撮像方法。
【請求項２５】
測定光を照射した被検査物からの戻り光と前記測定光に対応する参照光とを合波した光に基づいて、該被検査物の断層画像を取得する撮像方法であって、
第１の光束径の測定光に対応する第１の戻り光に基づいて、前記測定光の光路長と前記参照光の光路長との差を調整する工程と、
前記差が調整された後に、前記第１の光束径より大きい第２の光束径の測定光に対応する第２の戻り光と前記参照光とを合波した光を検出する工程と、
を有することを特徴とする撮像方法。
【請求項２６】
前記第１の戻り光に基づいて前記差を調整した後に、前記第２の戻り光に基づいて前記差を調整する工程を有することを特徴とする請求項２４あるいは２５に記載の撮像方法。
【請求項２７】
請求項２０乃至２６のいずれか１項に記載の撮像方法の各工程をコンピュータに実行させることを特徴とするプログラム。
【手続補正２】
【補正対象書類名】明細書
【補正対象項目名】発明の名称
【補正方法】変更
【補正の内容】
【発明の名称】撮像装置及びその方法
【手続補正３】
【補正対象書類名】明細書
【補正対象項目名】０００１
【補正方法】変更
【補正の内容】
【０００１】
本発明は、撮像装置及びその方法に関する。特に、眼科診療等に用いられる撮像装置及びその方法に関する。
【手続補正４】
【補正対象書類名】明細書
【補正対象項目名】００１２
【補正方法】変更
【補正の内容】
【００１２】
本発明は、つぎのように構成した撮像装置及びその方法を提供するものである。
【手続補正５】
【補正対象書類名】明細書
【補正対象項目名】００１３
【補正方法】変更
【補正の内容】
【００１３】
本発明に係る撮像装置は、
測定光を照射した被検査物からの戻り光と、該測定光に対応する参照光とを合波した光に基づいて、該被検査物の断層画像を取得する撮像装置であって、
第１の光束径の測定光に対応する第１の戻り光を検出する第１の検出手段と、
前記第１の戻り光に基づいて、前記被検査物における前記第１の光束径の測定光の合焦位置を調整する調整手段と、
前記第１の光束径から該第１の光束径より大きい第２の光束径に変更する光束径変更手段と、
前記第２の光束径の測定光に対応する第２の戻り光と前記参照光とを合波した光を検出する第２の検出手段と、
を有することを特徴とする。
【手続補正６】
【補正対象書類名】明細書
【補正対象項目名】００１４
【補正方法】変更
【補正の内容】
【００１４】
また、本発明に係る撮像方法は、
測定光を照射した被検査物からの戻り光と、該測定光に対応する参照光とを合波した光に基づいて、該被検査物の断層画像を取得する撮像方法であって、
第１の光束径の測定光に対応する第１の戻り光を検出する工程と、
前記第１の戻り光に基づいて、前記被検査物における前記第１の光束径の測定光の合焦位置を調整する工程と、
前記第１の光束径から該第１の光束径より大きい第２の光束径に変更する工程と、
前記第２の光束径の測定光に対応する第２の戻り光と前記参照光とを合波した光を検出する工程と、
を有することを特徴とする。
【手続補正７】
【補正対象書類名】明細書
【補正対象項目名】００１５
【補正方法】変更
【補正の内容】
【００１５】
また、別の本発明に係るコンピュータが読み取り可能な記憶媒体は、
上述の撮像方法の各工程をコンピュータに実行させるためのプログラムを格納したことを特徴とする。
【手続補正８】
【補正対象書類名】明細書
【補正対象項目名】００１６
【補正方法】変更
【補正の内容】
【００１６】
また、別の本発明に係るプログラムは、
上述の撮像方法の各工程をコンピュータに実行させることを特徴とする。
【手続補正９】
【補正対象書類名】明細書
【補正対象項目名】００１７
【補正方法】変更
【補正の内容】
【００１７】
また、別の本発明に係る撮像装置は、
測定光を照射した被検眼からの戻り光に基づいて、該被検眼の画像を取得する撮像装置であって、
前記被検眼の光学特性に基づいて、前記測定光の光束状態を変更する光束状態変更手段を有することを特徴とする。